(57)【要約】 【課題】  光源を流れる電流を小さい電流値の電流によって制御して光源の明るさを調節することができ、光源素子の明るさを暗くしたときの消費電力を低減することができる光源駆動回路、光源装置および表示装置を提供する。【解決手段】  電圧変換部１１は、入力電圧ＶＩＮを、帰還電圧印加端子１４に印加される帰還電圧ＶＦＢが基準電圧ＶＲＥＦに等しくなるように変換した出力電圧ＶＯＵＴを出力する。帰還電圧ＶＦＢは、抵抗素子１６での電圧降下と抵抗素子１５での電圧降下とを加算した電圧である。調光用電流源１７から出力される電流ＩＥＸを上昇させると、抵抗素子１６での電圧降下分が増加し、帰還電圧ＶＦＢを上昇させることができる。抵抗素子１６の抵抗値を抵抗素子１５よりも大きくすることによって、少ない電流ＩＥＸでも抵抗素子１６での電圧降下分を大きくすることができるので、抵抗素子１５による消費電力を低減することができる。【選択図】      図１
2010040213.tif 000002
【特許請求の範囲】
【請求項１】
入力端子、出力端子、および帰還電圧印加端子を有し、基準電圧に基づいて前記入力端子から入力される入力電圧を前記出力端子から出力される出力電圧に変換する電圧変換部と、
流れる電流に応じて電圧を生成する電圧生成部と、
前記電圧変換部の前記出力端子と前記電圧生成部との間に位置し、光源素子が接続される光源接続部と、
前記電圧変換部の前記帰還電圧印加端子と前記電圧生成部および前記光源接続部との間に接続される電圧降下部と、
前記電圧変換部の前記帰還電圧印加端子と前記電圧降下部との間に接続され、該電圧降下部に電流を入力する電流入力端子とを備えることを特徴とする光源駆動回路。
【請求項２】
前記電圧変換部は、
前記基準電圧を生成する基準電圧生成部と、
前記基準電圧を入力する第１端子と、前記帰還電圧印加端子に接続される第２端子と、前記出力端子に接続される第３端子とを有し、前記第２端子から入力される帰還電圧が前記第１端子から入力される前記基準電圧より低い場合に前記第３端子から出力される出力電圧を高くし、前記第２端子から入力される帰還電圧が前記第１端子から入力される前記基準電圧より高い場合に前記第３端子から出力される出力電圧を低くする比較増幅部とを備えることを特徴とする請求項１に記載の光源駆動回路。
【請求項３】
前記電圧生成部は、流れる電流に比例した電圧を生成することを特徴とする請求項１または２に記載の光源駆動回路。
【請求項４】
前記電圧生成部は、抵抗素子によって構成されることを特徴とする請求項１から３のいずれかに記載の光源駆動回路。
【請求項５】
前記抵抗素子は、一端が前記光源接続部に接続され、他端がグランドに接続されることを特徴とする請求項４に記載の光源駆動回路。
【請求項６】
前記電圧降下部は、流れる電流に比例して電圧降下することを特徴とする請求項１から５のいずれかに記載の光源駆動回路。
【請求項７】
前記電圧降下部は、抵抗素子によって構成されることを特徴とする請求項１から６のいずれかに記載の光源駆動回路。
【請求項８】
前記電圧生成部が抵抗素子によって構成される場合において、前記電圧降下部を構成する抵抗素子の抵抗値は、前記電圧生成部を構成する抵抗素子の抵抗値より大きいことを特徴とする請求項７に記載の光源駆動回路。
【請求項９】
前記電流入力端子に接続され、前記電圧降下部に入力する電流を供給する電流入力源を更に備えることを特徴とする請求項１から８のいずれかに記載の光源駆動回路。
【請求項１０】
前記電流入力源は、外部から入力されるデジタル信号を直流電流に変換するデジタル−アナログコンバータを含んでなることを特徴とする請求項９に記載の光源駆動回路。
【請求項１１】
前記電圧変換部の前記入力端子および前記出力端子の少なくとも一方に接続される平滑コンデンサをさらに備えることを特徴とする請求項１から１０のいずれかに記載の光源駆動回路。
【請求項１２】
請求項１から１１のいずれかに記載の光源駆動回路と、
前記光源接続部に接続される光源素子とを備えることを特徴とする光源装置。
【請求項１３】
前記光源素子は、発光ダイオードであることを特徴とする請求項１２に記載の光源装置。
【請求項１４】
請求項１２または１３に記載の光源装置を備えることを特徴とする表示装置。
【発明の詳細な説明】
【技術分野】
【０００１】
本発明は、光源を駆動する電流を制御することによって光源の明るさを制御する光源駆動回路、光源装置および表示装置に関する。
【背景技術】
【０００２】
図４は、従来の技術による光源駆動回路９０の構成例を示す図である。光源駆動回路９０は、光源素子９９に直流電流を供給して発光させる駆動回路であり、電圧変換部９０１および抵抗素子９０５を含んで構成される。光源素子９９は、ＬＥＤ（Light Emitting 
Diode）などによって構成され、印加される電圧が上昇すると、流れる電流が増加し、明るさが増す。
【０００３】
電圧変換部９０１は、入力端子９０２に直流あるいは交流の電圧が入力されると、帰還電圧印加端子９０３に印加される帰還電圧ＶＦＢが基準電圧ＶＲＥＦに等しくなるように、出力端子９０４から出力する出力電圧ＶＯＵＴを制御する。光源素子９９は、一端が出力端子９０４に接続され、他端が、直列に接続される抵抗素子９０５を介してグランドに接続される。光源素子９９と抵抗素子９０５との接続点は、帰還電圧印加端子９０３に接続される。帰還電圧ＶＦＢは、帰還電圧印加端子９０３に流入する電流が、無視することができる程度の大きさであるので、光源素子９９を流れる電流ＩＬの電流値と抵抗素子９０５の抵抗値Ｒ１とを乗算した値の電圧となる。
【０００４】
たとえば光源素子９９を駆動する前の状態では、光源素子９９に電圧は印加されず、光源素子９９を流れる電流ＩＬの電流値は「０」で、帰還電圧ＶＦＢも「０」である。光源素子９９の駆動を開始すると、出力電圧ＶＯＵＴは徐々に上昇し、光源素子９９を流れる電流ＩＬも増加し、帰還電圧ＶＦＢも上昇する。帰還電圧ＶＦＢが基準電圧ＶＲＥＦに等しくなると、出力電圧ＶＯＵＴの上昇は停止する。
【０００５】
図５は、明るさの調節を可能とした従来の技術による光源駆動回路９１の構成例を示す図である。光源駆動回路９１は、図４に示した光源駆動回路９０に調光用電流源９１６を追加した構成である。調光用電流源９１６は、光源素子９９と抵抗素子９０５との接続点に接続され、供給する電流ＩＥＸの電流値を制御することによって光源素子９９を流れる電流ＩＬを制御して、光源素子９９が発光する明るさを調節する。
【０００６】
調光用電流源９１６から供給される電流ＩＥＸは、抵抗素子９０５を介してグランドに流れる。したがって、帰還電圧ＶＦＢは、光源素子９９を流れる電流ＩＬと調光用電流源９１６から供給される電流ＩＥＸとを加算した電流の電流値と、抵抗素子９０５の抵抗値Ｒ１とを乗算した値の電圧となる。すなわち、ＶＦＢ＝（ＩＬ＋ＩＥＸ）×Ｒ１であり、調光用電流源９１６から供給される電流ＩＥＸを調節することによって、光源素子９９を流れる電流ＩＬを調節し、光源素子９９の明るさを調節することができる。
【０００７】
特許文献１に記載される電子発光素子駆動回路は、ＬＥＤなどの電子発光素子に流れる電流を、電流値切り換え回路によって切り換えることによって、明暗差がつくように２種類の明るさで電子発光素子を発光させる。電流値切り換え回路は、２種類の電流値切り換え用抵抗を備えている。
【０００８】
特許文献２に記載されるＬＥＤ駆動回路は、基準電圧を生成する生成回路を構成する電流源から出力される電流値を、調光率によって変化させることによって、ＤＣ／ＤＣコンバータ（直流／直流変換器）から出力される出力電圧を変化させ、その出力電圧が印加されるＬＥＤを流れる電流を制御する。
【０００９】
【特許文献１】特開２００５−２９０１９号公報
【特許文献２】特開２００７−４２７５８号公報
【発明の開示】
【発明が解決しようとする課題】
【００１０】
しかしながら、調光用電流源を用いる場合、光源素子を流れる電流を電流値「０」近くにまで小さくして、光源素子が発光する明るさを暗く調節するとき、調光用電流源から供給する電流の値は、明るさを明るくしたときに光源を流れる電流の電流値に近い電流を供給する必要がある。すなわち、調光用電流源は、大きな電流を供給することができる電流源を用いなければならないという問題がある。さらに、光源素子に直列に接続される抵抗素子を流れる電流は、光源素子を流れる電流の電流値のほかに調光用電流源から供給される電流が流れ、この抵抗素子による消費電力は、光源素子の明るさを暗くする前の状態での消費電力と変化がない。
【００１１】
特許文献１に記載される電子発光素子駆動回路は、抵抗値を切り換えることによって光源素子に流れる電流を制御するものであって、電流によって光源素子を流れる電流を制御するものではない。特許文献２に記載されるＬＥＤ駆動回路は、基準電圧を切り換えることによって調光するものであり、基準電圧を切り換えるための切り換え回路を設ける必要がある。
【００１２】
本発明の目的は、光源を流れる電流を小さい電流値の電流によって制御して光源の明るさを調節することができ、光源素子の明るさを暗くしたときの消費電力を低減することができる光源駆動回路、光源装置および表示装置を提供することである。
【課題を解決するための手段】
【００１３】
本発明は、入力端子、出力端子、および帰還電圧印加端子を有し、基準電圧に基づいて前記入力端子から入力される入力電圧を前記出力端子から出力される出力電圧に変換する電圧変換部と、
流れる電流に応じて電圧を生成する電圧生成部と、
前記電圧変換部の前記出力端子と前記電圧生成部との間に位置し、光源素子が接続される光源接続部と、
前記電圧変換部の前記帰還電圧印加端子と前記電圧生成部および前記光源接続部との間に接続される電圧降下部と、
前記電圧変換部の前記帰還電圧印加端子と前記電圧降下部との間に接続され、該電圧降下部に電流を入力する電流入力端子とを備えることを特徴とする光源駆動回路である。
【００１４】
また本発明は、前記の光源駆動回路と、
前記光源接続部に接続される光源素子とを備えることを特徴とする光源装置である。
また本発明は、前記の光源装置を備えること特徴とする表示装置である。
【発明の効果】
【００１５】
本発明によれば、入力端子、出力端子、および帰還電圧印加端子を有する電圧変換部によって、基準電圧に基づいて前記入力端子から入力される入力電圧が前記出力端子から出力される出力電圧に変換される。電圧生成部によって、流れる電流に応じて電圧が生成される。前記電圧変換部の前記出力端子と前記電圧生成部との間に位置する光源接続部によって、光源素子が接続される。電圧降下部は、前記電圧変換部の前記帰還電圧印加端子と前記電圧生成部および前記光源接続部との間に接続される。そして、前記電圧変換部の前記帰還電圧印加端子と前記電圧降下部との間に接続される電流入力端子を介して、該電圧降下部に電流が入力される。
【００１６】
したがって、光源素子を流れる電流を小さい電流値の電流によって制御して光源素子の明るさを調節することができ、さらに、光源素子の明るさを暗くしたときの消費電力を低減することができる。
【００１７】
また本発明によれば、前記光源駆動回路と、前記光源接続部に接続される光源素子とから構成される。したがって、光源素子を流れる電流が小さい電流値の電流によって制御されるので、光源素子の明るさを暗くしたときの光源装置の消費電力を大幅に低減することができる光源装置とすることができる。
【００１８】
また本発明によれば、表示装置は、前記光源装置を備えるので、明るさを暗くしたときの消費電流を大幅に低減することができる。
【発明を実施するための最良の形態】
【００１９】
図１は、本発明の実施の一形態である光源装置１の回路構成を示すブロック図である。光源装置１は、光源駆動回路１０および光源素子２０を含んで構成される。光源駆動回路１０は、電圧変換部１１、抵抗素子１５，１６および調光用電流源１７を含んで構成される。
【００２０】
電圧変換部１１は、入力端子１２、出力端子１３および帰還電圧印加端子１４を含み、入力端子１２に印加される直流電圧ＶＩＮを変換し、帰還電圧印加端子１４に印加される帰還電圧ＶＦＢに基づいて、出力端子１３から出力する出力電圧ＶＯＵＴを制御する。すなわち、電圧変換部１１は、予め定める基準電圧である基準電圧ＶＲＥＦと帰還電圧印加端子１４に印加される帰還電圧ＶＦＢとを比較し、帰還電圧ＶＦＢが基準電圧ＶＲＥＦに等しくなるように出力電圧ＶＯＵＴを制御する。具体的には、帰還電圧ＶＦＢが基準電圧ＶＲＥＦよりも低い電圧であると、出力電圧ＶＯＵＴを増加し、帰還電圧ＶＦＢが基準電圧ＶＲＥＦよりも高い電圧であると、出力電圧ＶＯＵＴを低下する。基準電圧ＶＲＥＦは、入力端子１２に印加される電圧に基づいて生成してもよいし、基準電圧ＶＲＥＦを出力する電圧源を用いてもよいし、外部から入力してもよい。
【００２１】
光源素子２０は、印加される電圧が減少すると流れる電流ＩＬが減少し、発光する明るさが減少する光源であり、たとえば発光ダイオード（Light Emitting Diode；以下「ＬＥＤ」という）、白熱電球などの光源によって構成される。光源素子２０は、一端が出力端子１３に接続され、他端が抵抗素子１５の一端に接続される。出力端子１３と抵抗素子１５との間に位置し、光源素子２０が接続される部分は、光源接続部である。
【００２２】
電圧生成部である抵抗素子１５は、一端が光源素子２０の前記他端に接続され、他端がグランドに接続される抵抗素子である。電圧降下部である抵抗素子１６は、一端が帰還電圧印加端子１４に接続され、他端が光源素子２０と抵抗素子１５との接続点に接続される抵抗素子である。電流入力源である調光用電流源１７は、電流を供給する電流源であり、電流制御信号入力端子１８に入力される電流制御信号に応じた電流ＩＥＸを出力する。調光用電流源１７の出力は、帰還電圧印加端子１４に接続される。
【００２３】
帰還電圧印加端子１４に印加される帰還電圧ＶＦＢの値は、抵抗素子１６での電圧降下と抵抗素子１５での電圧降下とを加算した値である。すなわち、抵抗素子１５の抵抗値をＲ１、および抵抗素子１６の抵抗値をＲ２とすると、式（１）の関係が成立する。
ＶＦＢ＝Ｒ２×ＩＥＸ＋Ｒ１×（ＩＬ＋ＩＥＸ）                    …（１）
【００２４】
したがって、調光用電流源１７から出力される電流ＩＥＸを増加させるように制御することによって、帰還電圧ＶＦＢを上昇させる方向に動作させることができる。帰還電圧ＶＦＢが上昇するように動作すると、電圧変換部１１は、出力電圧ＶＯＵＴを低下しようとする。出力電圧ＶＯＵＴを低下させて、光源素子２０に印加される電圧を低下させることによって、光源素子２０を流れる電流ＩＬを低下させることができ、光源素子２０の明るさを暗くすることができる。
【００２５】
調光用電流源１７から出力される電流ＩＥＸの値は、式（１）を変形することによって、式（２）で表わされる。
ＩＥＸ＝（ＶＦＢ−Ｒ１×ＩＬ）／（Ｒ１＋Ｒ２）                  …（２）
【００２６】
たとえば、帰還電圧ＶＦＢを１．０Ｖ（ボルト）、抵抗素子１５の抵抗値Ｒ１を１００Ω（オーム）、抵抗素子１６の抵抗値Ｒ２を１０ＫΩとし、調光用電流源１７から出力される電流ＩＥＸが「０」であるときに光源素子２０を流れる電流ＩＬの電流値が１０ｍＡ（ミリアンペア）であるとき、光源素子２０を流れる電流ＩＬの電流値を１ｍＡとするための電流ＩＥＸの値は、式（２）にこれらの値を代入すると、式（３）となる。
ＩＥＸ＝（１．０−１００×０．００１）／（１００＋１０×１０３）…（３）
＝０．０８９×１０−３
すなわち、電流ＩＥＸの電流値は、０．０８９ｍＡとなる。
【００２７】
図５に示した従来の技術による光源駆動回路９１では、光源素子９９を流れる電流ＩＬの電流値を１０ｍＡから１ｍＡに低減するためには、調光用電流源９１６から出力する電流の電流値は、９ｍＡとする必要がある。したがって、本発明に係る光源駆動回路１０は、従来の技術による光源駆動回路９１よりも、電流値が２桁少ない電流で、光源素子２０を流れる電流ＩＬの電流値を１０ｍＡから１ｍＡに低減することができる。したがって、調光用電流源１７として、出力電流が小さい回路たとえばマイクロコンピュータに内蔵するＤＡ（Digital-to-Analog）コンバータなどを用いることができる。
【００２８】
抵抗素子１６の抵抗値は、帰還電圧印加端子１４に供給する必要がある電流の電流値、光源素子２０が発光する明るさを調節するとき光源素子２０を流れる電流ＩＬの電流値の精度、外来ノイズの影響などを勘案して決定される。たとえば、帰還電圧印加端子１４を演算増幅器の入力端子とするときは、帰還電圧印加端子１４に供給すべき電流の電流値は、明るさを低減しない状態のときに光源素子２０を流れる電流ＩＬの電流値よりも無視し得る程度の大きさであり、上記条件によっては、抵抗素子１６の抵抗値は、数十ＫΩ〜数ＭΩとすることができ、調光用電流源１７の出力容量をさらに小さくすることができる。
【００２９】
上述した実施の形態では、光源駆動回路１０に調光用電流源１７を含めて構成したが、調光用電流源１７を外部の電流源として構成してもよい。その場合、調光用電流源１７は、光源駆動回路１０に含まれる電流入力端子を介して抵抗素子１６に接続される。
【００３０】
このように、抵抗素子１６の抵抗値を抵抗素子１５よりも大きくすることによって、少ない電流ＩＥＸで、抵抗素子１６での電圧降下分を大きくすることができるので、抵抗素子１５による消費電力を低減することができる。
【００３１】
図２は、光源装置１の詳細な構成を示す回路図である。図１に示した構成要素と同じ構成要素には、同じ参照符を付して、重複を避けるために説明は省略する。
【００３２】
電圧変換部１１は、基準電圧素子１１１、演算増幅器１１２およびコンデンサ１１３，１１４を含んで構成される。入力端子１１は、一端がグランドに接続されるコンデンサ１１３の他端、基準電圧素子１１１の入力端子、および演算増幅器１１２の電源接続端子に接続される。コンデンサ１１３は、入力電圧を平滑化するコンデンサである。基準電圧素子１１１は、たとえば１つの端子がグランドに接続される３端子レギュレータなどによって構成される。基準電圧生成部である基準電圧素子１１１は、入力電圧ＶＩＮから基準電圧ＶＲＥＦを生成し、生成した基準電圧ＶＲＥＦを演算増幅器１１２の非反転入力端子に入力する。
【００３３】
比較増幅器である演算増幅器１１２は、非反転入力端子が基準電圧素子１１１の出力端子に接続され、反転入力端子が帰還電圧印加端子１４に接続され、出力が、一端がグランドに接続されるコンデンサ１１４の他端、および出力端子１３を介して光源素子２０に接続される。演算増幅器１１２は、帰還電圧印加端子１４に印加される帰還電圧ＶＦＢが、基準電圧素子１１１が出力する基準電圧ＶＲＥＦよりも低いと、出力電圧ＶＯＵＴを高くし、帰還電圧印加端子１４に印加される帰還電圧ＶＦＢが、基準電圧素子１１１が出力する基準電圧ＶＲＥＦよりも高いと、出力電圧ＶＯＵＴを低くする。コンデンサ１１４は、出力電圧を平滑化するコンデンサである。
【００３４】
調光用電流源１７は、たとえばＤＡコンバータ１７ａおよび抵抗素子１９によって構成される。ＤＡコンバータ１７ａは、入力端子１８に入力される電流制御信号をアナログ量の電流に変換して、抵抗素子１９を介して帰還電圧印加端子１４に出力する。入力端子１８に入力される電流制御信号は、光源素子２０が発光する明るさを調節するためのデジタル信号であり、たとえば制御用のＣＰＵ（Central Processing Unit）などから出力される信号である。
【００３５】
図２に示した例では、電圧変換部１１を基準電圧素子１１１と演算増幅器１１２とによって構成したが、スイッチング方式の昇圧回路、降圧回路、あるいは極性反転電圧変換回路などのＤＣ−ＤＣ（直流−直流）コンバータ、または交流電圧から直流電圧への変換機能を備える回路など、直流電圧を出力し、その出力した直流電圧を帰還制御する方式のものであれば、他の構成であってもよい。
【００３６】
さらに、図２示した例では、調光用電流源１７としてＤＡコンバータ１７ａを用いたが、ＤＡコンバータに限定されるものではなく、電流の増減を制御するための電流制御信号に基づいて、出力する直流の電流の電流値を制御することができるものであればよい。
【００３７】
このように、入力端子１２、出力端子１３、および帰還電圧印加端子１４を有する電圧変換部１１によって、基準電圧に基づいて入力端子１２から入力される入力電圧が出力端子１３から出力される出力電圧に変換される。電圧生成部である抵抗素子１５によって、流れる電流に応じて電圧が生成される。電圧変換部１１の出力端子１３と抵抗素子１５との間に位置する光源接続部によって、光源素子２０が接続される。電圧降下部である抵抗素子１６は、電圧変換部１１の帰還電圧印加端子１４と抵抗素子１５および前記光源接続部との間に接続される。そして、電圧変換部１１の帰還電圧印加端子１４と抵抗素子１６との間に接続される電流入力端子を介して、抵抗素子１６に電流が入力される。したがって、光源素子２０を流れる電流を小さい電流値の電流によって制御して光源素子２０の明るさを調節することができ、さらに、光源素子２０の明るさを暗くしたときの消費電力を低減することができる。
【００３８】
さらに、電圧変換部１１は、基準電圧素子１１１によって、基準電圧が生成され、さらに、前記基準電圧を入力する第１端子と、帰還電圧印加端子１４に接続される第２端子と、出力端子１３に接続される第３端子とを有する演算増幅器１１２によって、前記第２端子から入力される帰還電圧が前記第１端子から入力される前記基準電圧より低い場合に前記第３端子から出力される出力電圧が高くされ、前記第２端子から入力される帰還電圧が前記第１端子から入力される前記基準電圧より高い場合に前記第３端子から出力される出力電圧が低くされる。したがって、基準電圧素子１１１および演算増幅器１１２などの従来の技術による回路構成で電圧変換部１１を実現することができる。
【００３９】
さらに、電圧生成部である抵抗素子１５は、流れる電流に比例した電圧を生成するので、流れる電流の電流値に比例する電圧を生成することができる。
【００４０】
さらに、電圧生成部は、抵抗素子１５によって構成されるので、簡単な回路素子を用いて電圧生成部を実現することができる。
【００４１】
さらに、抵抗素子１５は、一端が前記光源接続部に接続され、他端がグランドに接続されるので、流れる電流に応じた電圧を、前記光源接続部に接続される一端に生じさせることができる。
【００４２】
さらに、電圧降下部である抵抗素子１６は、流れる電流に比例して電圧降下するので、流れる電流の電流値に比例する電圧降下を生じさせることができる。
【００４３】
さらに、前記電圧降下部は、抵抗素子１６によって構成されるので、簡単な回路素子を用いて電圧生成部を実現することができる。
【００４４】
さらに、電圧生成部が抵抗素子１５によって構成される場合において、電圧降下部を構成する抵抗素子１６の抵抗値は、電圧生成部を構成する抵抗素子１５の抵抗値より大きいので、同じ電流値の電流でも、電圧降下部の抵抗素子１６による電圧降下のほうが、電圧生成部の抵抗素子１５による電圧降下よりも大きくすることができる。したがって、光源素子２０を流れる電流を制御するための電流値をより小さい電流値にすることができる。
【００４５】
さらに、前記電流入力端子に接続され、抵抗素子１６に入力する電流を供給する調光用電流源１７をさらに備えるので、調光用電流源１７を外部の電流源として接続することができる。
【００４６】
さらに、調光用電流源１７は、外部から入力されるデジタル信号を直流電流に変換するＤＡコンバータ１７ａを含んでなるので、従来の技術によるＤＡコンバータなどによって電流入力源を実現することができる。
【００４７】
さらに、電圧変換部１１の入力端子１２および出力端子１３の少なくとも一方に接続される平滑コンデンサ、たとえばコンデンサ１１３，１１４をさらに備えるので、入力電圧あるいは出力電圧のノイズによる変動を低減することができる。
【００４８】
図３は、本発明の実施の一形態である表示装置３０の概略の構成を示す断面図である。表示装置３０は、光源装置３１、液晶表示パネル３２および筐体３３を備えている。光源装置３１は、複数の光源部３１１、導光体３１２、光拡散体３１３、反射体３１４、拡散板３１５およびプリズム３１６を備えている。各光源部３１１は、図１に示した光源装置１によって構成され、導光体３１２の一端面に配列されて設けられている。光源装置３１は、底面側から、光を反射する反射体３１４、光を拡散する光拡散体３１３、導光体３１２、光を拡散する拡散板３１５およびプリズム３１６の順に積層されて構成される。
【００４９】
液晶表示パネル３２は、透明な２枚の基体の間に液晶から成る液晶層を形成したパネルである。光源装置３１は、バックライトとして液晶表示パネル３２の背後に重ねられて、液晶表示パネル３２とともに筐体３３に収容される。表示装置３０は、光源装置３１の消費電流が明るさを暗くしたとき大幅に低減されるので、明るさを暗くしたときの消費電流を大きく低減することができる。
【００５０】
このように、光源装置３１は、複数の光源装置１、すなわち光源駆動回路１０と光源素子２０とを備える複数の光源装置１を含んで構成される。したがって、光源素子２０を流れる電流が小さい電流値の電流によって制御されるので、明るさを暗くしたときの光源装置３１の消費電力を大幅に低減することができる。
【００５１】
さらに、光源素子２０は、発光ダイオードであるので、従来の技術による光源を光源素子として用いることができる。
【００５２】
さらに、表示装置３０は、光源装置３１を備えるので、明るさを暗くしたときの消費電流を大幅に低減することができる。
【図面の簡単な説明】
【００５３】
【図１】本発明の実施の一形態である光源装置１の回路構成を示すブロック図である。
【図２】光源装置１の詳細な構成を示す回路図である。
【図３】本発明の実施の一形態である表示装置３０の概略の構成を示す断面図である。
【図４】従来の技術による光源駆動回路９０の構成例を示す図である。
【図５】明るさの調節を可能とした従来の技術による光源駆動回路９１の構成例を示す図である。
【符号の説明】
【００５４】
１，３１  光源装置
１０，９０，９１  光源駆動回路
１１，９０１  電圧変換部
１２，９０２  入力端子
１３，９０４  出力端子
１４，９０３  帰還電圧印加端子
１５，１６，１９，９０５  抵抗素子
１７，９１６  調光用電流源
１７ａ  ＤＡコンバータ
１８  電流制御信号入力端子
２０，９９  光源素子
３０  表示装置
３２  液晶表示パネル
３３  筐体
１１１  基準電圧素子
１１２  演算比較器
１１３，１１４  コンデンサ
３１１  光源部
３１２  導光体
３１３  光拡散体
３１４  反射体
３１５  拡散板
３１６  プリズム
【図１】
2010040213.tif 000003
【図２】
2010040213.tif 000004
【図３】
2010040213.tif 000005
【図４】
2010040213.tif 000006
【図５】
2010040213.tif 000007